(57)【特許請求の範囲】
【請求項１】
第１の筐体と第２の筐体とを連結部で回転可能に連結した筐体と、この筐体に取り付けられるカメラ部と、通話モードと撮影モードとを切り替えるモード切替スイッチと、設定キーとを備え、
前記筐体は、前記連結部を介して、前記第１の筐体と第２の筐体とを開いた第１の状態と、前記第１の筐体と前記第２の筐体とを折りたたんだ第２の状態とを取り得るように連結され、
前記第１の筐体は、前記第１の状態で露出し、第２の状態で隠蔽される筐体面に主表示部を備えるとともに、第１及び第２の状態の何れの状態でも露出する筐体面にサブ表示部を備え、
前記第２の筐体は、前記第１の状態で露出し、第２の状態で隠蔽される筐体面に操作部を備え、
前記モード切替スイッチは、前記第１及び第２の何れの状態でも操作可能なように、前記第１及び第２の状態の何れの状態でも露出する筐体面に配置され、
前記撮影モードにおいて、前記カメラ部で撮影した画像を、第１の状態では前記主表示部に表示し、第２の状態では前記サブ表示部に表示し、
前記設定キーは、第１及び第２の状態の何れの状態でも露出する筐体面に配置され、前記撮影モードでは撮影機能が設定され、前記通話モードでは前記サブ表示部の画像を切り替える切替機能が設定され、
前記連結部は、前記第１の筐体と第２の筐体を回転可能に支持する一対の腕部を備えるとともに、第１の状態において、前記主表示部と操作部を備えた筐体面から張り出して形成され、
前記カメラ部は、前記一対の腕部の間に形成される装置収納空間内に、両端部を前記腕部で回転可能に支持されるとともに、前記一対の腕部の投影面積内に配置され、
第２の状態で露出する前記カメラ部の周囲を形成する前記腕部を含む前記第１の筐体と第２の筐体の筐体面は、前記カメラ部のレンズ部を中心とし、かつ前記カメラ部の画角を維持する弧状の切欠部が形成されていることを特徴とする携帯電話機。
【請求項２】
請求項１において、
前記カメラ部は、少なくとも１８０°回転することを特徴とする携帯電話機。
【請求項３】
請求項１において、
前記モード切替スイッチは、前記カメラ部の撮影モードを、静止画モードと動画モードに切り替えることができることを特徴とする携帯電話機。
【請求項４】
請求項１において、
前記設定キーは、一対のボタンを備え、
前記一対のボタンは、前記カメラ部と対向する前記サブ表示部の下方に配置され、
前記一対のボタンの一方は、前記第２の状態での撮影モードにおいて撮影ボタンに設定されることを特徴とする携帯電話機。
【請求項５】
請求項４において、
前記撮影ボタンは、前記撮影モードが動画モードでは記録開始キーが設定され、静止画モードでは撮影キーが設定されることを特徴とする携帯電話機。
【請求項６】
第１の筐体と第２の筐体とを連結部で開閉可能に連結した筐体と、この筐体に取り付けられるカメラ部と、通話モードと撮影モードとを切り替えるモード切替スイッチと、設定キーとを備え、
前記筐体は、前記連結部を介して、前記第１の筐体と第２の筐体とを開いた第１の状態と、前記第１の筐体と前記第２の筐体とを折りたたんだ第２の状態とを取り得るように連結され、
前記第１の筐体は、前記第１の状態で露出される筐体面に配置された主表示部を備えるとともに、前記主表示部を配置した筐体面と対向する筐体面に配置されたサブ表示部を備え、
前記第２の筐体は、前記第１の状態で露出される筐体面に配置された操作部を備えるとともに、前記操作部を配置した筐体面と対向する筐体面に配置されたバッテリー収納部を備え、
前記連結部は、前記第１の筐体と前記第２の筐体とを折りたたみ可能に連結する一対の腕部と回転軸とを備えるとともに、第１の状態において、前記主表示部と操作部を備えた筐体面から張り出して形成され、
前記カメラ部は、前記一対の腕部の間に形成される装置収納空間内に、その両端部を前記回転軸と同軸かつ前記一対の腕部で回転可能に支持されるとともに、前記一対の腕部の投影面積内に配置され、
前記モード切替スイッチは、前記第１及び第２の何れの状態でも操作可能なように、前記第２の筐体の２つの対向する筐体面を連結する筐体側面に配置され、
前記操作部は、前記筐体面の連結部側に配置される決定キーおよびカーソルキーと、前記連結部側と対向する側に配置されるテンキーとを含み、
前記決定キーは、前記第１の状態における撮影モードにおいて、前記主表示部に表示される前記カメラ部の画像を撮影する撮影機能が設定され、
前記設定キーは、前記主表示部を配置した筐体面と対向する筐体面の連結部側に配置されるとともに、前記第２の状態における撮影モードにおいて、前記サブ表示部に表示される前記カメラ部の画像を撮影する撮影機能が設定され、前記第２の状態における通話モードにおいて、前記サブ表示部の画像を切り替える切替機能が設定され、
第２の状態で露出する前記カメラ部の周囲を形成する前記腕部を含む筐体面は、前記カメラ部のレンズ部を中心とし、かつ前記カメラ部の画角を維持する弧状の切欠部が形成されていることを特徴とする携帯電話機。
【請求項７】
請求項６において、
前記カメラ部は、前記回転軸の軸線に沿って前記連結部の中央に回転可能に接続され、
前記サブ表示部は、前記カメラ部と前記設定キーとの間に配置され、
前記設定キーは、前記主表示部を配置した筐体面と対向する筐体面の中央付近に配置されることを特徴とする携帯電話機。
【発明の詳細な説明】
【０００１】
【発明の属する技術分野】
本発明は、カメラ機能を備えた携帯電話機に係り、特に、本体を２つの筐体から構成し、この２つの筐体を折りたたみ可能にする連結部にカメラ部を回転可能に設けた携帯電話機に関するものである。
【０００２】
【従来の技術】
近年の携帯電話機は、２つの筐体を連結部を介して折りたたみ可能に構成した「折りたたみ携帯電話機」が主流となっている。一方、これら携帯電話機ではカメラ機能を備えて、撮影した画像を通信機能で転送可能としたものが脚光をあびている。
【０００３】
特に、カメラ機能を前記連結部に回転可能に取り付けて、撮影姿勢を向上させたものが実施化されている。これらカメラ部を連結部に設けた従来技術としては、前記連結部を一対の連結機構で構成し、この連結機構の間にカメラ部を回転可能に設けたものや（従来例１）、前記連結部を片側に偏心させて設け、他の片側に前記連結部に回転可能に設けられるカメラ部を設けたもの（従来例２）が開示されている（例えば、特許文献１、特許文献２、特許文献３等を参照）。
【特許文献１】
特開平６−１４１３０６号公報
【特許文献２】
特開平１１−６９２１４号公報
【特許文献３】
特開２０００−２５３１２４号公報
【０００４】
【発明が解決しようとする課題】
前記従来例によれば、連結部にカメラ部が回転可能に取り付けられているので、カメラ部の角度が容易に設定できる。例えば、前記従来例１によれば、カメラ部の撮影中心を、２つの筐体の開閉角度の中央に常に位置させることができる。また、前記従来例２によれば、カメラ部の中心を、開いた２つの筐体側と反対側に回転させることができるので、使用者自身の撮影や、風景の撮影などが容易にできる。
【０００５】
しかしながら、前記従来例１および従来例２は、いずれもカメラ部での撮影を２つの筐体を開いた状態で行うことを前提としており、２つの筐体を折りたたんだ状態では収納性や携帯性を重視している。このため、前記従来例によれば、撮影する際には、常に２つの筐体を開いた状態としなければならない。
【０００６】
そこで、本発明の目的とするところは、筐体の折たたみ動作に影響されることなく、カメラ部による撮影が容易な携帯電話機を提供することにある。
【０００７】
【課題を解決するための手段】
前記目的を達成するために、本発明は、第１の筐体と第２の筐体とを連結部で回転可能に連結した筐体と、この筐体に取り付けられるカメラ部と、通話モードと撮影モードとを切り替えるモード切替スイッチと、設定キーとを備え、前記筐体は、前記連結部を介して、前記第１の筐体と第２の筐体とを開いた第１の状態と、前記第１の筐体と前記第２の筐体とを折りたたんだ第２の状態とを取り得るように連結され、前記第１の筐体は、前記第１の状態で露出し、第２の状態で隠蔽される筐体面に主表示部を備えるとともに、第１及び第２の状態の何れの状態でも露出する筐体面にサブ表示部を備え、前記第２の筐体は、前記第１の状態で露出し、第２の状態で隠蔽される筐体面に操作部を備え、前記モード切替スイッチは、前記第１及び第２の何れの状態でも操作可能なように、前記第１及び第２の状態の何れの状態でも露出する筐体面に配置され、前記撮影モードにおいて、前記カメラ部で撮影した画像を、第１の状態では前記主表示部に表示し、第２の状態では前記サブ表示部に表示し、前記設定キーは、第１及び第２の状態の何れの状態でも露出する筐体面に配置され、前記撮影モードでは撮影機能が設定され、前記通話モードでは前記サブ表示部の画像を切り替える切替機能が設定されるようにする。
【０００９】
【発明の実施の形態】
以下、本発明に係る携帯電話機の実施の形態を図１から図１２を参照して詳細に説明する。図１から図１０が第１の実施の形態を示し、図１１から図１２が第２の実施の形態を示している。この説明においては、同一の部位や機能、矢印などは同一符号を持って示し重複した説明を省略する。
＜第１の実施の形態＞
先ず、図１を参照して、本発明の第１の実施の形態に係る携帯電話機の概略構造を説明する。図１は第１の実施の形態に係る携帯電話機の外観斜視図である。図１において、符号１で総括的に示すのは、カメラ機能を備えた携帯電話機である。この携帯電話機１は、主に表示機能を備えた第１の筐体１００と、主に制御機能や操作機能及びバッテリーを備えた第２の筐体２００と、２つの筐体を折りたたみ可能に連結する連結部３００と、この連結部３００に回転可能に取り付けられるカメラ部４００とを含んで構成される。
第１の筐体１００及び第２の筐体２００は偏平な外観形状を備え、２つの筐体を折りたたんだ状態で互いに重なる大きさを備えている。また、２つの筐体は、互いの筐体の長手方向の一端を連結部３００を介して連結することで、２つの筐体を開いた状態では細長い形態をとって通話姿勢（以下第１の状態という）に良好な形態となり、２つの筐体を閉じた状態では長手方向の他端を片手で保持して、一端側に設けられるカメラ部４００を介して良好な撮影姿勢（以下第２の状態という）を取り得る携帯性に優れた形態となっている。
【００１０】
図１において、（ａ）図は２つの筐体を開いた状態を示し、（ｂ）図は２つの筐体を閉じた状態を示している。この実施の形態では、第２の状態で隠蔽される第１の筐体１００の内面１０１に主表示部１０２を設け、第２の状態で隠蔽される第２の筐体２００の内面２０１にテンキー２０２やカーソル移動キー２２３、決定キー２２２等の各操作キーからなる操作部２０４を配置している。また、２つの内面の連結部３００と対向する端部側には、それぞれ第１スピーカ部１０３と、マイク部２０５が配置される。これにより、第１の状態では、筐体の長手方向の両端側に第１スピーカ部１０３とマイク部２０５が配置されるので、この第１スピーカ部１０３とマイク部２０５が使用者の耳と口の長さに合った良好な通話姿勢を得ることができる。
【００１１】
一方、第１の筐体１００の内面１０１と対向する外面１０４には、サブ表示部１０５と第２スピーカ部１０６と任意設定キー部１０７と状態ランプ部１０８が配置される。この実施の形態では、連結部３００の開閉動作を介して信号を切り替える内部切替スイッチ２２（図２参照）を備えている。この内部切替スイッチ２２により、第１の状態では、第１の筐体１００の外面に設けたサブ表示部１０５と第２スピーカ部１０６と任意設定キー部１０７と状態ランプ部１０８などを非動作状態とし、第２の状態では動作状態とすることができる。
【００１２】
更に、第２の状態でも露出する第２の筐体２００の側面には、通常の電話モードと撮影モードを切り替えるモード切替スイッチ２０６が設けられている。この実施の形態では、撮影モードとして、静止画像モードと動画像モードを設定することができる。したがって、このモード切替スイッチ２０６を操作することにより、第１および第２の状態において、主表示部１０２やサブ表示部１０５などの各操作表示機器類を各モードに対応した設定内容に切り替えることができる。
【００１３】
また、サブ表示部１０５は、各種の状態表示とカメラ部４００で撮影した画像を表示することができる。第２スピーカ部１０６と状態ランプ部１０８は、音声（ブザー音含む）や視覚で通話やメールを受信したことを報知するものである。さらに、任意設定キー部１０７は、モード切替スイッチ２０６で設定される各モードに対応して任意の機能を設定することができる操作スイッチである。この実施の形態では、任意設定キー部１０７が一対のボタンスイッチで構成され、初期状態ではあらかじめ設定された機能を実行させることができる。
【００１４】
例えば、電話モードでは、メール内容をサブ表示部１０５に表示される機能と、通話相手の相手先確認画面を表示させる機能が設定される。また、動画像モードでは、記録開始と停止の機能と録画設定メニュー表示が設定される。また、静止動画モードでは、撮影の機能と、撮影の各種設定メニューの表示が設定される。これら機能は、第１の状態で、カーソル移動キー２２３の操作で主表示部１０２にメニュー画面を表示させ、このメニュー画面に格納されている設定画面で任意設定キー部１０７の各モードにおける機能を設定することができる。
【００１５】
このように、この実施の形態の携帯電話機１によれば、第１の状態だけでなく、第２の状態においてもカメラ部４００による撮影を可能とすることができる。しかも、第１の状態が主表示部１０２に撮影した画像を表示するように、この第２の状態でも、サブ表示部１０５に撮影した画像を表示しながら撮影できるので、目的の撮影対象を確認表示しながら撮影することができるから、撮影時の誤操作を軽減できる。また、これらの撮影状態では、連結部３００に設けたカメラ部４００を撮影対象に向けて自由に回転させることができるので、第１の状態及び第２の状態でも、携帯電話機１を保持する手を動かしてカメラ部４００を撮影対象に向ける動作を少なくすることができるので、手にかかる負担を軽減できる。
【００１６】
更に、この実施の形態では、モード切替スイッチ２０６を備えることによって、１つのサブ表示部１０５を電話モードとカメラ機能（静止画像モードと動画像モード）モードに切り替えて使用することができるので、部品点数の増加を軽減して経済的である。同様に、モード切替スイッチ２０６により、任意設定キー部１０７を電話モード用とカメラモード用に切り替えて使用することができる。しかも、この任意設定キー部１０７は任意に機能を設定することができるから、利用者に操作の自由度を提供できる。
【００１７】
以下、図２から図１０を参照して、この実施の形態にかかる携帯電話機１を更に詳細に説明する。図２は携帯電話機の装置ブロック図である。図３は携帯電話機の部品展開図である。図４は第１の筐体の部品展開図である。図５連結部の拡大図斜視図である。図６は第２の状態の携帯電話機の外観図で、（ａ）は平面図、（ｂ）図は正面図、（ｃ）図は右側面図、（ｄ）図は背面図、（ｅ）図は底面図である。図７は第１の状態の携帯電話機の外観図で、（ａ）図が正面図、（ｂ）図が左側面図である。図８は第１の筐体の開閉動作の右側面図である。図９は、第２の状態における携帯電話機のカメラ部の説明図で、（ａ）図が背面図、（ｂ）図が部分断面を備えた左側面図である。図１０はカメラ部による撮影保持姿勢の説明図で、（ａ）図が第１の状態における撮影保持姿勢図、（ｂ）図が第２の状態における撮影保持姿勢図である。
【００１８】
先ず、図２を参照して、この携帯電話機１の装置構成を説明する。図２において、この携帯電話機１を統括的に制御する制御部１０にはバスを介して各種装置やスイッチ類が接続される。
【００１９】
内部切替スイッチ２２は、第２の筐体２００の内部に設けられており、第１の筐体１００の開閉動作に対応して信号を発信する。メモリ１１は各種プログラムやデータを格納し、制御部１０がプログラムにしたがってこの携帯電話機１を制御する。高周波回路部１２は通信装置となるものであり、主アンテナ１３とサブアンテナ１４が接続される。バッテリー１５は、この携帯電話機１に電源を供給する。カメラ部４００はカメラ回路部１６を介してバスに接続される。
【００２０】
駆動回路部１７には、着信時に振動を発生させる振動部１８と、メールや通話の着信あるいはアラームなどを光で知らせる状態ランプ部１０８が接続されており、制御部１０からの制御に基づいて、これらの動作量と動作パターンが制御される。また、音声回路部１９は、第１スピーカ部１０３と、マイク部２０５と、第２スピーカ部１０６が接続されている。
【００２１】
更に、この実施の形態では、操作部２０４と任意設定キー部１０７とモード切替スイッチ２０６などが設けられており、これらの操作スイッチ類により、利用者がこの携帯電話機１を操作することができる。加えて、この実施の形態では、外部接続部２１が設けてあり、コードを介して外部のパーソナルコンピュータなどと接続して、通信やデータ交換を行なうことができる。
【００２２】
次に、図３、図４、図５を参照して、携帯電話機１の部品構成を説明する。
【００２３】
図３において、前記したように、この実施の形態では、この携帯電話機１を、第１の筐体１００と第２の筐体２００と、この２つの筐体を開閉可能（折りたたみ可能）に連結する連結部３００と、この連結部３００に回転可能に取り付けられるカメラ部４００とを含んで構成している。
【００２４】
第２の筐体２００は、この第２の筐体２００の内面２０１を構成する第２の内面カバー２０７と、この第２の筐体２００の外面をカバーする第２の外面カバー２０８とを含んで構成される。この２つのカバーは、樹脂材料で形成され、ネジを介して取り付けられる。また、この２つのカバーは長手方向の一端側に一対の連結カバー２０９を備え、この連結カバー２０９で連結部３００を覆って意匠性を良好なものとしている。そして、前記第２の内面カバー２０７と第２の外面カバー２０８とで、キーシート２１０および内部装置群２１１をコンパクトに覆っている。内部装置群２１１は、スイッチ基板２１２と制御基板２１３と主アンテナ１３とサブアンテナ１４などを含んで構成される。
【００２５】
即ち、この実施の形態では、スイッチ基板２１２と制御基板２１３を前後（図面上では上下）に配置し、このスイッチ基板２１２の前部（図面上では上部）にキーシート２１０が配置される。キーシート２１０は柔軟性のある樹脂材料で形成され、第２の筐体２００の前記第２の内面２０１に形成される複数の開口部２１４に合わせて、操作ボタンとなる複数の突起部２１０ａが形成される。そして、この突起部２１０ａに対応して、スイッチ基板２１２には複数の接点２１２ａが設けられている。これによって、開口部２１４から露出する突起部２１０ａを使用者が押下することで、突起部２１０ａの裏面側が前記接点２１２ａを押下するので、この携帯電話機１を操作することができる。一方、制御基板２１３は、この携帯電話機１を統括的に制御する制御部１０や高周波回路部１２や前記メモリ１１などが１枚または複数の基板に取り付けられて構成される。
【００２６】
また、主アンテナ１３は、この第２の筐体２００の長手方向の他の端部側（連結部３００と対向する端部側）に横姿勢で配置される。この主アンテナ１３は棒状の形態を備えて、内部装置群２１１とキーシート２１０の合計の厚みや幅寸法より小さく設定している。このため、第２の筐体２００の中央よりこの主アンテナ１３を備えた端部側に向かって先が細くなる形状とすることができる。このため、この携帯電話機１は、ポケットへの挿入がしやすく、かつ、片手で保持した際に良好な保持感覚を実現させている。また、この実施の形態では、引き伸ばした際に受信感度を向上させるサブアンテナ１４を前記第２の筐体２００の長手方向に沿って設けているので、このサブアンテナ１４の長さを確保することができる。
【００２７】
第２の外面カバー２０８は、その外面側に、バッテリー収納部２１５を備えている。このバッテリー収納部２１５は、第２の外面カバー２０８の外面の全体にわたって形成される凹部２１６と、この凹部２１６に蓋をするように着脱可能に取り付けられるバッテリーカバー２１７とで構成される。このバッテリー収納部２１５によれば、カード型の薄型の前記バッテリー１５を制御基板２１３と平行に収納して、携帯性が良好な筐体の薄型化を実現することができる。
【００２８】
次に、図４を参照して、第１の筐体１００を説明する。この第１の筐体１００は、前記第１の筐体１００の内面１０１を構成する第１の内面カバー１０９と、第１の筐体１００の外面１０４を構成する第１の外面カバー１１０と、メインシャーシ１１３などから構成される。２つのカバー１１０と１２０は、樹脂材料で形成され、メインシャーシ１１３にネジを介して取り付けられる。また、２つのカバーで形成される内部空間に、第１の装置群１１１が取り付けられる。第１の装置群１１１は、サブ制御基板１１２と、主表示部１０２と、サブ表示部１０５と、第２スピーカ部１０６と、任意設定キー部１０７と、状態ランプ部１０８と、第１スピーカ部１０３などから構成される。
【００２９】
図５に示すように、メインシャーシ１１３は、マグネシウム合金などの軽量な金属材料で堅牢に形成され、その長手方向の一端側に、同種材料で形成される連結部３００が形成される。連結部３００は、メインシャーシ１１３と一体で形成される第１連結部３０１と、この第１連結部と回転（折りたたみ）可能に連結される第２連結部３０２とを含んで構成される。前記第１及び第２連結部は１対の腕部３０１ａ、３０２ａを備えている。
【００３０】
即ち、一対の第１連結部３０１は、メインシャーシ１１３の両側から長手方向の一端側に延びる腕部３０１ａが形成される。このメインシャーシ１１３の両側から張り出して形成される一対の腕部３０１ａの内側にそれぞれ回転軸３０３が形成され、この一対の回転軸３０３に一対の第２連結部３０２の腕部３０２ａの一端が回転可能に取り付けられる。一方、第２連結部３０２の一対の腕部３０２ａの他端側は、第２の筐体２００に取り付けるための取付部３０４が形成される。したがって、この取付部３０４を第２筐体２００にネジなどを介して取り付けることにより、第１の筐体１００と第２の筐体２００が回転（折りたたみ）可能に連結される。
【００３１】
また、第１連結部３０１と第２連結部３０２を回転可能に連結する回転軸３０３は、第１の筐体１００と第２の筐体２００から張り出して取り付けられ、この張り出した部分が連結カバー２０９によって外観をカバーされる。これによって、第１の筐体１００と第２の筐体２００が、外観上、連続的に形成されるので、第１の状態及び第２の状態においても携帯性や取扱性が良好な連結形態を実現している。更に、この回転軸３０３は第１及び第２の状態を維持するように、この回転軸３０３内に図示しないバネを設けたり、あるいはこの回転軸３０３の嵌合面に図示しない嵌合溝などを設けている。
【００３２】
一方、この実施の形態では、一対の腕部３０１ａ、３０２ａからなる連結構造を採用することにより、この連結部３００の中央に装置収納空間３０５を形成することができる。この実施の形態では、この装置収納空間３０５にカメラ部４００を配置している。この装置収納空間３０５は、両側に回転軸３０３が配置されるので、この回転軸３０３と同軸の回転機構４０１を両端に備えたカメラ部４００を配置することができる。
【００３３】
この回転軸３０３の軸線３０３ａは、携帯電話機１の長手方向に直交する姿勢で配置されるので、この回転軸３０３と同軸で回転可能な前記カメラ部４００を配置すれば、携帯電話機１を片手で保持した際に、カメラ部４００を上下方向に回転できるので、手に無用な負担をかけることなく、カメラ部４００の画角を自由に調節することができる。また、この構造によれば、カメラ部４００を堅牢な一対の連結部３００の間に配置することができるので、この連結部３００によってカメラ部４００を保護することができる。しかも、この実施の形態では、側面からみて（前記回転軸３０３の軸線３０３ａ方向から見て）、カメラ部４００を、連結部３００を覆う連結カバー２０９の外形の投影面積内に収めることができるので、カメラ部４００の保護効果を更に良好なものとしている。更に、この実施の形態では、カメラ部４００は、一対の第２連結部３０２を介して両側を支持されるように保持されるので、このカメラ部４００の良好な回転性能を得ることができる。
【００３４】
また、カメラ部４００は、回転機構４０１の一方に信号線４０２を備えている。この信号線４０２は、腕部３０２ａ内を介して制御基板２１３に結線される。更に、カメラ部４００は、後述するような所定の動作範囲内で回転可能なように取り付けられる。これによって、前記信号線４０２の破損を軽減している。また、回転機構４０１は、任意の角度で固定可能なように回転面に固定溝を備えている。これによって、カメラ部の画角を任意の位置に固定することができる。
【００３５】
図４に戻り、第１の内面カバー１０９は、この第１の内面カバー１０９の主体的な構造体となる第１の主内面カバー１１４と、この第１の主内面カバー１１４の前面を構成するフロントパネル１１５と、主表示部１０２の前面を覆う透明板１１６とを含んで構成される。フロントパネル１１５は、第１の主内面カバー１１４の前面に形成される凹部１１７に嵌合してネジを介して取り付けられる。なお、このネジにはゴムカバーが覆い被さるようにされる。このゴムカバーは第２の状態で、第１の筐体１００と第２の筐体２００が直接接触して傷つくのを防ぐ干渉材となる。
【００３６】
この構造によれば、第１の主内面カバー１１４の前面の殆ど占めるフロントパネル１１５を、色変更や材質変更することが容易となるので、大きな設計変更を行うことなく機種展開が可能となる。また、このフロントパネル１１５の連結部３００と対向する端部側には、第１スピーカ部１０３の放音穴１１９が形成され、連結部側には主表示部用開口部１１８が形成される。そして、主表示部用開口部１１８には、周囲に凹部が形成され、この凹部に透明板１１６が接着剤などで取り付けられる。
【００３７】
一方、第１の外面カバー１１０は、主体的な構造体となる第１の主外面カバー１２０と、この第１の主外面カバー１２０の前面の一部を構成する外面パネル１２１とを含んで構成される。この実施の形態では、外面パネル１２１を透明樹脂材料で形成し、前記サブ表示部１０５と状態ランプ部１０８に対応する部分を除いて他の部分に内面から塗装を施している。これにより、塗装を変更するだけで透明感のある多様なデザイン変更が容易に行うことができる。また、通常、サブ表示部１０５を保護するために設けられる透明板を、外面パネル１２１と一体で形成しているので、部品点数を軽減して組立性、意匠性を向上させることができる。なお、この実施の形態では、透明板を外面パネル１２１と一体成形としたが、フロントパネル１１５のように透明板１１６を別に設ける構造としてもよい。逆に、フロントパネル１１５の構造をこの外面パネル１２１と同様な一体成形としてもよい。
【００３８】
また、第１の主外面カバー１２０には、一対の任意設定キー部１０７を露出するための開口部１２２や第２スピーカ部１０６の放音穴１２３を形成している。
【００３９】
さて、この実施の形態では、メインシャーシ１１３の前側に、保持枠１２４を介して取り付けられる主表示部１０２と、第１スピーカ部１０３とを取り付け、メインシャーシ１１３の後側にサブ制御基板１１２が取り付けられる。更にサブ制御基板１１２には保持板１２５を介して取り付けられるサブ表示部１０５と、第２スピーカ部１０６と、状態ランプ部１０８とが取り付けられる。ここで、このサブ制御基板１１２の裏面側には、任意設定キー部１０７に対応する位置に接点が設けられ、任意設定キー部１０７が押下されることで信号を発するようになっている。
【００４０】
主表示部１０２と第１スピーカ部１０３は、サブ制御基板１１２に結線される。そして、このサブ制御基板１１２は帯状コード１２６を介して制御基板２１３と接続される。この帯状コード１２６は、連結部３００を介して結線される。このように、この実施の形態では、一対の連結部３００の一方でカメラ部４００の信号線４０２を結線し、他方で帯状コード１２６を接続することができるので、結線が容易となる。
【００４１】
次に、図６と図７を参照して、この携帯電話機１の外観を説明する。先ず、図６を参照して、第２の状態の外観を説明する。この携帯電話機１は、第２の状態で最大横幅Ｗ（サブ表示部１０５の付近）が５０ｍｍで高さＨが１００ｍｍ、最大厚さＤ（奥行）が２６ｍｍとなっており、手の平に収まりやすく、かつポケットに入る大きさを有している。
【００４２】
この携帯電話機１は、第２の筐体２００を片手で保持した際に、第１の筐体１００を手前に折りたたむことで、第２の状態を図６（ｂ）図のように、使用者に対して正対させることができる。この第２の状態は、最上部に連結部３００が配置され、その下方に状態ランプ部１０８、更にその下方にサブ表示部１０５、その下方に第２スピーカ部１０６を左右から挟むように一対の任意設定キー部１０７が配置される。これら各操作表示類は図６（ｂ）図に示すように上方に片寄って配置される。これによって、使用者は、この携帯電話機１の下方を片手で保持すれば、その上方に配置される前記操作表示類の操作や視認性を損なうことなく、確実に保持することができる。
【００４３】
即ち、この実施の形態では、最上部の連結部３００の中央にカメラ部４００を配置し、この下方近傍に状態ランプ部１０８を挟んでサブ表示部１０５を近接配置している。このため、例えば、図６（ｂ）図のように、カメラ部４００を正面に正対させて、使用者の自画像を撮影して、サブ表示部１０５で画像をチェックしても、カメラ部４００とサブ表示部１０５が上下に近接して配置しているために、目線がずれるなどの不都合を軽減できる。
【００４４】
また、状態ランプ部１０８は、この携帯電話機１の上方中央に配置されているために、片手で保持しても視認性が良好である。また、意匠的にも、カメラ部４００とサブ表示部１０５が、外面パネル１２１によって、他の操作機器類と区分けされて、視覚グループとして区画されるので、機能とデザインが融合された形態となっている。
【００４５】
更に、カメラ部４００は、この携帯電話機１の上端に配置されているため、第２の状態では、その上部を上端部に露出するので、この露出部分を他の片手で摩ることができるから、このカメラ部４００を簡単に回転させて、カメラ部４００の画角を調整することができる。
【００４６】
また、このカメラ部４００は、両側の連結カバー２０９より上端（図６（ｂ）図の上端部参照）が低く形成されているので、指の膨らみに合って、良好な操作感を得ることができる。更には、この低く形成することで、カメラ４００を保護することができる。また、このカメラ部４００のレンズ部を備えた面と対向する背面は、（ａ）図に示すように、上方からみてマイナス円弧で、両側の連結カバー２０９より細く形成しているので、このカメラ４００の保護を一層向上させることができる。
【００４７】
更に、前記マイナス円弧は、図６（ｂ）図及び（ｃ）図に示すように、連結カバー２０９とカメラ部を連続させる形状（楕円形状）としているので、このカメラ部４００の画角を正面に正対させる正面方向と、対向する背面方向を簡単に位置合わせることができる。
【００４８】
一方、任意設定キー部１０７は、図６（ｂ）図の中央付近に配置される。一般に、第２の状態の携帯電話機１を片手で保持する場合、携帯電話機１の下方を手の中に入れて保持する。この保持姿勢であれば、任意設定キー部１０７が配置される位置は、保持する片手の親指の動作範囲であるので、使用者は、この携帯電話機１を片手で操作することができる。しかも、この一対の任意設定キー部１０７は、間に第２スピーカ部１０６を配置しているので、ブラインド操作を行なっても誤操作を軽減することができる。そして、この任意設定キー部１０７の配置によれば、操作する親指によって、サブ表示部１０５の視認性を妨げることがない。
【００４９】
また、この実施の形態では、サブ表示部１０５の側方となる第２の筐体２００の側面にモード切替スイッチ２０６を設けている（図７（ｂ）図参照）。この位置は、左手でこの携帯電話機１を保持した場合に親指の動作範囲である。したがって、利用者は、親指で、このモード切替スイッチ２０６と任意設定キー部１０７を操作することができるので、片手でこの携帯電話機１の殆どの操作を行なうことができる。
【００５０】
更に、この実施の形態では、モード切替スイッチ２０６と対向する第２の筐体の側面（右側面）にキャップで覆われた外部接続部２１を備えている。一般に、この種の携帯電話機では第２の筐体の底面（本実施の形態では、図６（ｅ）図）に外部接続部を配置している。しかし、この従来例では、コードを使用者側に引き出すこととなるので、コードがわずらわしい。更に、接続にあたっても、外部接続部が携帯電話機１の長手方向にあるので、使用者は携帯電話機１の姿勢を大きく変更しなければならない。しかし、この実施の形態では、側面に設けることで姿勢変更が容易であり、かつ接続にあたっても右手で操作しやすく、コードを横方向に引き出せるのでコードが邪魔になることがない。そして、側面に外部接続部２１を設けることで、この外部接続部２１を制御基板２１３に直接設けることができるので、組立性や配線を短くすることができる。
【００５１】
また、この実施の形態では、図６（ｄ）図に示すように、第２の筐体２００の背面の片側に、サブアンテナ１４が配置されていることにより、バッテリー収納部２１５を片側にずらして設けている。これにより、バッテリー収納部２１５とサブアンテナ１４とを並設することができるため、バッテリー収納部２１５の上方にコネクタを配置するのに十分なスペースを確保することができ、外部接続部２１を側面に配置することができる。
【００５２】
一方、この実施の形態では、外部接続部２１とモード切替スイッチ２０６等を第２の筐体の両側面に配置したことにより、第２の筐体２００の底面に主アンテナ１３を設けている。この主アンテナ１３は、外部接続部２１を配置するのに比べて底面部分を小さく先すぼみ形状とすることができる。これにより、図６（ｂ）図、（ｃ）図に示すように、携帯電話機１の中央部分から底面に向かって先がとがった先すぼみ形状とすることができるので、携帯電話機１を手の平に合った保持性が良好な携帯とすることができる。しかも、この形態であれば、前記連結部３００を上方位置とする姿勢でポケットに挿入しやすい形状である。
【００５３】
更に、この実施の形態では、サブアンテナ１４を第２の筐体２００の片側の長手方向に沿って設けることができる。この配置によれば、第１の状態から第２の状態に変化させても、サブアンテナ１４は第１の筐体１００の動きに関係なく、上方位置に固定される。特に、この実施の形態では、この第２の状態で、任意設定キー部１０７やモード切替スイッチ２０６を操作してサブ表示部１０５を確認したり、カメラ部４００を操作することとなるので、サブアンテナ１４が第１の筐体１００に設けてあると、この第２の状態での操作性に大きく影響する。しかし、この実施の形態では、第２の筐体２００の上面の片側に設けているので、このサブアンテナ１４を引き出した状態でも、この第２の状態の操作性に支障を来たすことがない。
【００５４】
なお、図６（ａ）図において、２１８はストラップ取付部、図６（ｄ）図、（ｅ）図において、２１９は充電端子、２２０は充電台に取り付ける際の位置合わせ凹部である。また、図６（ａ）図、（ｂ）図、（ｄ）図において、２２１は、このカメラ部４００の良好な画角を得るための切欠部である。この切欠部２２１については、図９で詳細に説明する。
【００５５】
次に、図７を参照して第１の状態の外観を説明する。この携帯電話機１は、第１の状態で全長Ｌ（高さ）が１８５ｍｍの大きさを備えて、使用者の耳と口の長さにあって保持性が良好な形態としている。この携帯電話機１は、第２の筐体２００を片手で保持した際に、第１の筐体１００を上方に開くことで、第２の状態から隠蔽されていた第１の筐体の内面１０１と第２の筐体２００の内面２０１を露出させて第１の状態にすることができる。この第１の状態では、長手方向の中央にカメラ部４００が配置される。そして、このカメラ部４００の上方位置となる第１の内面１０１に主表示部１０２が配置され、下方となる第２の内面２０１には操作部２０４が配置される。
【００５６】
この携帯電話機１によれば、第２の筐体２００に第１の状態で操作する操作部２０４が集中配置されているので、この第２の筐体２００を保持しながら保持する手の親指で操作できるから、片手で保持し、かつ操作することができる。また、第２の筐体２００を片手で保持することができるので、この第２の筐体２００の前面（第１の内面２０１）に配置される操作部２０４を他の片手で操作されても筐体を安定保持することができる。そして、操作部２０４の上部近傍にはカメラ部４００が配置されるので、操作する他の片手がカメラ部４００の画角を妨げるのを軽減できる。しかも、回転可能なカメラ部４００の回転を他の片手で行っても、このカメラ部４００を支持する第２の筐体２００は片手で保持されるので手ブレを軽減できる。
【００５７】
更に、カメラ部４００の上部には主表示部１０２が配置されるので、操作する手がこの主表示部１０２の視認性を妨げることがない。しかも、この主表示部１０２とカメラ部４００は近接配置され、更に、このカメラ部４００が主表示部１０２の左右中央に配置されるので、このカメラ部４００で自画像を撮影しても、主表示部１０２に表示される目線のずれを軽減できる。
【００５８】
加えて、この実施の形態では、このカメラ部を連結部３００の回転軸３０３を中心に回転させることができるので、図９（ｂ）図の点線に示すように、このカメラ部４００を操作者側に向けて自画像を撮影することもできるし、同（ｂ）図の実線で示すように、このカメラ部４００を１８０度回転させて風景を撮影することができる。もちろん、このカメラ部４００は、回転角度を任意の位置で固定できるので、保持する手でこのカメラ部４００の画角を調整するような無理な姿勢を強いることがないので、保持する手に負担をかけること軽減できる。また、このカメラ部４００は任意の角度で固定することができるので、撮影時に、このカメラ部４００が不用意に動くことを軽減できる。更に、このカメラ部４００は周囲の前記連結カバー２０９より小さく（側面からみて連結カバー２０９の投影面積内）形成されるので、撮影時に、このカメラ部４００に何かが不用意に触れてカメラ部４００が動くことを軽減できる。
【００５９】
操作部２０４は、中央に配置される決定キー２２２と、その周囲に配置されるカーソル移動キー２２３と、カーソル移動キー２２３の周囲に配置される複数の選択キーと、数字や文字等の入力を行うテンキー２０２と、テンキー２０２の上方に配置された電源（終話）キー２２７と、発信キー２２８と、クリア（戻り）キー２２９とから構成される。カーソル移動キー２２３は、リング状の操作面を備え、この操作面を８方向に傾けることにより、主表示部１０２に表示されるカーソル（選択位置）を傾けた方向に移動させることができる。このカーソルによって選択されたメニューは決定キー２２２によって実行させることができる。
【００６０】
一方、選択キーは、インターネットキー２２４ａと、メールキー２２４ｂと、任意の機能を設定することが可能な一対のソフトキー２２４ｃ、２２４ｄとから構成される。ソフトキー２２４ｃ、２２４ｄは、通話モードの初期設定においては、あらかじめ設定され、主表示部１０２の下方に表示された機能表示アイコン２４１、２４２に対応した操作を行うように設定されている。他のモードや階層の進んだ表示モードにおいては、各モードで設定され、主表示部１０２の表示画面下部に表示される機能表示アイコン２４１、２４２に対応した操作が行えるように、ソフトキー２２４ｃ、２２４ｄの機能が設定される。また、第２の筐体２００の側面には、前モード切替スイッチ２０６とマナーモード設定キー２２５とイヤホンジャック（カバー付）２２６が配置される。
【００６１】
この実施の形態では、第２の筐体２００を保持する片手（右手操作）の親指の動作範囲に操作系を配置したので、この携帯電話機１を片手で保持して片手で操作することができる。更に、インターネットキー２２４ａとメールキー２２４ｂ、テンキー２０２等を操作して、通話、メール、インターネット、住所録表示、画像選択表示、音楽を聞くなどの各種の操作や入出力作業を行うことができる。
【００６２】
また、図８において、この実施の形態では，第２の筐体２００に対する第１の筐体１００の開閉角度θ１を１６０°から１７０°に設定している。これにより、第１の筐体１００と第２の筐体２００が連結部３００を介して屈折した状態で第１の状態が維持されるので、通話中に、マイク部２０５と第１スピーカ部１０３を使用者の耳と口に合った状態で保持することができる。また、この屈折した形態であれば、サブアンテナ１４を引き伸ばした状態でも、このサブアンテナ１４が第１の筐体１００の動きを制限することがない。
【００６３】
更に、この実施の形態では、連結カバー２０９の背面側に、第１の筐体１００の動きを止める一対の突起部２２６を備えている。この突起部２２６は、一対の連結カバー２０９の両側に設けられているので、その内側に設けたカメラ部４００を保護することができる。
【００６４】
図９において、この実施の形態では、連結部３００にカメラ部４００を回転可能に設け、このカメラ部４００で撮影した内容を第１の状態でも、第２の状態でも撮影内容を確認しながら撮影できる。しかも、この実施の形態では、このカメラ部４００を一対の連結部３００内に収めたので、携帯電話機１全体をコンパクトにすることができる。しかし、このカメラ部４００を連結部３００内に収めると、このカメラ部４００の画角内に筐体の一部が写ってしまう課題がある。例えば、図９に示すように、この実施の形態では断面が円形に広がる画角θの撮影範囲を備えたカメラ部４００を採用している。このようなカメラ部４００を、連結部３００の回転軸３０３と同一線上の軸線３０３ａで回転させた場合、折りたたんだ筐体がこのカメラ部４００の画角θの範囲内に写り込むこととなる。特に、この実施の形態では、このカメラ部４００を１８０度回転可能としているので、第１の筐体１００または第２の筐体２００の一部が写り込む可能性が高くなる。この写り込みは、このカメラ部４００のレンズ位置を、第１の筐体１００または第２の筐体２００の前面と同一または前方に配置することで解決できる。しかし、このような解決手段では、小型化するカメラ部を大きく取り扱うこととなるので、実装密度を低くして装置の大型化をまねくこととなる。特に、この実施の形態では、このカメラ部４００を連結カバー２０９の投影面積内の内側に入る大きさとしているので、大きな課題である。従来例では、第１の状態のみの撮影を可能としているので、前記課題は発生しなかったが、この実施の形態では大きな課題となる。
【００６５】
そこで、この実施の形態では、前記課題を解決するために、カメラ部４００に隣接する第１の筐体１００と第２の筐体２００の端部に円弧状の切欠部（面カット）１２７、２２１を形成している。この切欠部１２７、２２１は、カメラ部４００のレンズ部を中心とする円弧状に形成することで、カメラ部４００の画角θの範囲内（円錐形）だけを切り欠くようにしている。また、この実施の形態では、図９（ｂ）図に示すように、第１の筐体１００より第２の筐体２００の厚さが内部実装品との関係で大きくなるので、第２の筐体２００の切欠部２２１を第１の筐体１００の切欠部１２７より深く形成している。
【００６６】
また、この実施の形態では、このカメラ部４００を連結部３００の回転軸と一致する軸線３０３ａを介して回転させているので、１８０度回転させると、主表示部１０２に表示される画像が上下逆転することとなる。そこで、この実施の形態では、連結部３００に設けた図示しないセンサーで所定角度を検知して、この所定角度で表示内容が上下逆転するように制御部１０が制御する。
【００６７】
次に、図１および図６、図７、図１０を参照して、この携帯電話機１の使い方を説明する。この携帯電話機１は、図７（ａ）図および図１０（ａ）図で示すように、第１の筐体１００を開いた状態で、電源キー２２７を押下してＯＮ状態にすることで、制御部１０は、この携帯電話機１を初期設定として設定されている通話モードで動作させ、電話機能の待機状態とする。この待機状態では、電話機能が主体となり、各操作系や表示内容が電話機能の表示となる。
【００６８】
例えば、第１の状態では、主表示部１０２には、使用者により設定された壁紙が背景として表示されるとともに、主表示部１０２の上方に設けられた状態表示部１０２ａに、電波状態やメールの着信の有無、日時などが表示される。なお、日時の表示については、主表示部１０２に表示することも可能となっており、使用者が任意に設定できるようになっている。主表示部１０２に日時を表示する場合は、背景と重なるように表示される。
この待機状態で、電話を受信すれば、第２スピーカ部１０６から着信音が発せられるとともに、主表示部１０２に相手の電話番号などが表示される。また、この待機状態では、カーソル移動キー２２３や決定キー２２２、インターネットキー２２４ａ、メールキー２２４ｂ等を介してメニュー画面を表示し、各種設定値の変更や、インターネット接続、メール発信などが可能である。また、主表示部１０２の下方には、機能表示アイコン２４１、２４２が表示され、ソフトキー２２４ｃ、２２４ｄは、機能表示アイコン２４１、２４２に表示された機能に対応する操作が可能である。
【００６９】
一方、第１の状態から第１の筐体１００が折りたたまれて第２の状態に移行すると、制御部１０は内部切替スイッチ２２により、筐体の状態変化を検知して、第１の状態でＯＮ状態であった主表示部１０２をＯＦＦ状態として、第１の状態では機能がＯＦＦ状態であった第１の筐体の外面１０４に配置されるサブ表示部１０５や任意設定キー部１０７を動作可能状態とする。なお、第２スピーカ部１０６は第１および第２の状態のいずれの状態でも動作可能状態としてもよい。
【００７０】
この実施の形態においては、第２の状態の初期設定として電話モードの待機状態が設定されている。したがって、通常の状態では、サブ表示部１０５に電波状態やメールの着信の有無、日時などが表示される。この状態で、電話やメールを受信すると利用者の設定にしたがって第２スピーカ部１０６から受信音を発信したり、受信したことをサブ表示部１０５や状態ランプ部１０８に表示する。また、この電話モードで任意設定キー１０７を操作すると、この任意設定キー１０７で設定される機能を実行することができる。
さて、この実施の形態の大きな特徴であるカメラ機能を実行する場合は、モード切替スイッチ２０６を操作する。制御部１０は、モード切替スイッチ２０６が操作されると、カメラ部４００を動作可能状態とするとともに、主表示部１０２またはサブ表示部１０５に動画モードまたは静止画モードの図示しない表示画面を表示する。
【００７１】
例えば、第１の状態では、主表示部１０２にカメラ部４００で撮影している内容を表示する。この主表示部１０２の表示画面の下部には図７（ａ）図で示すように、３つの機能表示アイコン２４１、２４２、２４３が表示され、中央には撮影開始／停止アイコン、両側には録画設定メニュー表示アイコンと戻るアイコンがそれぞれ表示される。この３つの機能表示アイコン２４１、２４２，２４３は、決定キー２２２とソフトキー２２４ｃ、２２４ｄに対応して表示され、例えば、中央の撮影開始／停止アイコンは決定キー２２２、両側の録画設定メニュー表示アイコンと戻るアイコンはソフトキー２２４ｃ、２２４ｄを押下することで、それぞれの機能を実行するようになっている。これにより、使用者は誤操作を行なうことなく撮影することができる。
【００７２】
したがって、使用者は、前記動画モードまたは静止画モードの表示画面が表示された状態で、決定キー２２２を押下することで、カメラ撮影を行うことができる。このカメラ部４００は、前記したように、回転させることができるので、レンズ部を操作者側に向ければ自画像が、１８０度回転させれば、風景が撮影できる。
【００７３】
例えば、図１０（ａ）図は、左手の片手操作を模式図的に示している。使用者は左手の手の平と４本指で、第２の筐体２００を保持し、親指でカーソル移動キー２２３や決定キー２２２、テンキー２０２等を操作することができる。この状態で、カメラ部４００の画角θを撮影対象に向ければ、この内容を主表示部１０２で確認しながら撮影することができる。これらの撮影した内容は、カーソル移動キー２２３等の操作で編集画面を表示して、各種の操作を行なうことができる。当然、カメラ部４００は回転するので、反転させれば、自画像を前記主表示部１０２に表示しながら撮影することができる。
【００７４】
一方、第２の状態では、サブ表示部１０５にカメラ部４００で撮影している内容を表示する。このサブ表示部１０５の表示画面にも、下方に任意設定キー部１０７に対応して設定されている機能表示アイコン（図示省略）が表示される。使用者はこの機能表示アイコンを見ながら対応する任意設定キー部１０７を操作することで、誤操作をすることなく、撮影画面をサブ表示部１０５に表示しながら撮影することができる。
【００７５】
したがって、使用者は、動画モードまたは静止画モードの表示画面が表示された状態で、任意設定キー部１０７を押下することで、カメラ撮影を行うことができる。このカメラ部４００は、前記したように、回転させることができるので、レンズ部を操作者側に向ければ自画像が、１８０度反転させれば、風景が撮影できる。
【００７６】
例えば、図１０（ｂ）図は、左手の片手操作を模式図的に示している。使用者は左手の手の平と４本指で、第２の筐体２００を保持し、親指で前記任意設定キー部１０７を操作することができる。この状態で、カメラ部４００の画角θを撮影対象に向ければ、この内容をサブ表示部１０５で確認しながら撮影することができる。当然、カメラ部４００は回転するので、反転させれば、自画像を主表示部１０２に表示しながら撮影することができる。なお、これらの撮影した内容は、第１の状態でカーソル移動キー２２３等の操作で編集画面を表示して、各種の操作を行なうことができる。
【００７７】
このように、この実施の形態では、第１の状態及び第２の状態でも、携帯電話機１を同様な保持姿勢で、かつ同様な操作姿勢で操作できる。
【００７８】
なお、この実施の形態では、カメラ部４００の回転動作範囲を０度から１８０度となっているが、これに限定されるものではない。例えば、第２の状態で、カメラ部４００を１８０度以上回転させ、レンズ部が筐体から露出しないようにすることで、レンズ部の破損や傷付きを防止することができる。
＜第２の実施の形態＞
次に、図１１、図１２を参照して、第２の実施の形態を説明する。図１１は第２の実施の形態に係る携帯電話機２の外観図で、（ａ）図が第２の状態の外観図、（ｂ）図が第１の状態の外観図である。図１２は携帯電話機２の部品構成図である。なお、第１の実施の形態と同一な部位や矢印などは同一符号をもって示して重複した説明を省略する。
【００７９】
この携帯電話機２は、第１の筐体１００と第２の筐体２００とを開閉可能に連結する連結部３５０を、片側に寄せた構造とし、他の片側に、前記連結部３５０に回転可能に取り付けられるカメラ部４１０を設けた点を大きな特徴としている。
【００８０】
図１１（ｂ）図において、この実施の形態では、前記第２の状態で隠蔽される第１の筐体１００の内面１０１に主表示部１０２を設け、前記第２の状態で隠蔽される第２の筐体の内面２０１にタッチパネル付表示部２５０を配置している。また、前記２つの内面の前記連結部３００と対向する端部側には、それぞれ第１スピーカ部１０３とマイク部２０５が配置される。
【００８１】
一方、前記第１の筐体１００の内面１０１と対向する第１の筐体の外面１０４には、サブ表示部１０５と第２スピーカ部１０６と一対の任意設定キー部１０７と状態ランプ部１０８が配置される。したがって、この第２の実施の形態でも第１の実施の形態と同様に第１の状態及び第２の状態でも撮影内容を確認しながら撮影することができる。
【００８２】
また、この実施の形態では、サブアンテナ１４を第１の筐体１００の外面１０４に設けている。このサブアンテナ１４は端部側の中央に張り出しているから、この張り出した端部を介して第１の筐体１００の開閉を行なうことができる。また、このサブアンテナ１４は、第１の状態で最上部に位置するので感度を良好にすることができる。
【００８３】
また、図１２において、前記連結部３５０は、第１の筐体１００から張り出して設けられる第１の連結カバー３５１と、第２の筐体２００から張り出して設けられる第２の連結カバー３５２とから構成される。この２つの連結カバー３５１と３５２には、その内部に図示しない連結機構部が設けられている。この２つの連結カバーの一方、例えば、この実施の形態では第１の連結カバー３５１が第１の筐体１００の片側の側面に連続して形成される。
【００８４】
一方、他方の連結カバー、この実施の形態では第２の連結カバー３５２がやや中央よりに形成される。この２つの連結カバー３５１と３５２は互いに回転軸３５３を介して軸線３５３Ａを中心に第１の筐体１００と第２の筐体２００を開閉可能に連結する。
【００８５】
この実施の形態によれば、前記連結部３５０を片側に集中配置したので、他の片側に大きなカメラ収納空間３５４を形成することができる。そして、前記第２の連結カバー３５２の片側にカメラ部４１０との回転軸３５５を設ける。つまり、この実施の形態では、張り出した第２の連結カバー３５２の両側に回転軸３５３と３５５を対向して設け、両回転軸３５３と３５５の軸線３５３ａを一致させている。
【００８６】
前記カメラ部４１０は、片側を前記回転軸３５５としており、この回転軸側にレンズ部４１０ａを配置し、他の片側に光源（フラッシュ）４１２を配置している。この実施の形態では、片側回転軸のカメラ部４１０としているので、回転軸側にレンズ部４１２を配置することで、レンズ部４１２を携帯電話機２の左右中心に近くすることができる。一方、片側支持のカメラ部４１０としたことにより、開放側に連結機構を配置する必要がないので、このスペースを利用して光源４１２を配置することができる。この実施の形態では消費電力の少ないＬＥＤ光源としている。これにより、光源の少ない撮影に有効である。
【００８７】
この実施の形態によれば、前記第１の実施の形態と同様な作用効果を得ることができるとともに、広いカメラ収納部３５４を利用して、光源４１２を配置することができる。更に、前記タッチパネル付表示部２５０とすることにより、多様な操作スイッチを、このタッチパネル付表示部２５０に表示して、これをタッチすることで操作をより快適に行なうことができる。
【００８８】
【発明の効果】
本発明によれば、筐体の折たたみ動作に影響されることなく、カメラ部の撮影が容易な携帯電話機を提供することができる。
【図面の簡単な説明】
【図１】第１の実施の形態に係る携帯電話機の外観斜視図である。
【図２】第１の実施の形態に係る携帯電話機の装置ブロック図である。
【図３】第１の実施の形態に係る携帯電話機の部品展開図である。
【図４】第１の実施の形態に係る携帯電話機の第1の筐体の部品展開図である。
【図５】第１の実施の形態に係る携帯電話機の連結部の拡大図斜視図である。
【図６】第１の実施の形態に係る携帯電話機の第2の状態の外観図である。
【図７】第１の実施の形態に係る携帯電話機の第1の状態の外観図である。
【図８】第１の実施の形態に係る携帯電話機の第１の筐体の開閉動作の右側面図である。
【図９】第１の実施の形態に係る携帯電話機の第2の状態におけるカメラ部の説明図である。
【図１０】第１の実施の形態に係る携帯電話機のカメラ部による撮影保持姿勢の説明図である。
【図１１】第２の実施の形態に係る携帯電話機の外観図である。
【図１２】携帯電話機の部品構成図である。
【符号の説明】
１…携帯電話機、１０…制御部、１１…メモリ、１２…高周波回路部、１３…主アンテナ、１４…サブアンテナ、１５…バッテリー、１６…カメラ回路部、１７…駆動回路部１７、１８…振動部、１０８…状態ランプ部、１９…音声回路部、２１…外部接続部、２２…内部切替スイッチ、１００…第１の筐体、１０１…第１の筐体の内面、１０２…主表示部、１０３…第１スピーカ部、１０４…第１の筐体の外面、１０５…サブ表示部、１０６…第２スピーカ部、１０７…任意設定キー部、１０８…状態ランプ部、１０９…第１の内面カバー、１１０…第１の外面カバー、１１１…第１の装置群、１１２…サブ制御基板、１１３…メインシャーシ、１１４…第１の主内面カバー、１１５…フロントパネル、１１６…透明板、１１７…凹部、１１８…主表示部用開口部、１１９…放音穴１１９、１２０…第１の主外面カバー、１２１…外面パネル、１２２…開口部、１２３…放音穴１２３、１２４…保持枠、１２５…保持板、１２６…帯状コード、１２７…切欠部、２００…第２の筐体、２０１…第２の筐体の内面、２０２…テンキー、２０４…操作部、２０５…マイク部、２０６…モード切替スイッチ、２０７…第２の内面カバー、２０８…第２の外面カバー、２０９…連結カバー、２１０…キーシート、２１０ａ…突起部、２１１…内部装置群、２１２…スイッチ基板、２１２ａ…接点、２１３…制御基板、２１４…開口部２１４、２１５…バッテリー収納部、２１６…凹部、２１７…バッテリーカバー、２１８…ストラップ取付部、２１９…充電端子、２２０…位置合わせ凹部、２２１…切欠部、２２２…決定キー、２２３…カーソル移動キー、２２４ａ…インターネットキー、２２４ｂ…メールキー、２２４ｃ…ソフトキー、２２４ｄ…ソフトキー、２２５…マナーモード設定キー、２２６…突起部、２２７…電源（終話）キー、２２８…発信キー、２２９…クリア（戻り）キー、２４１…機能表示アイコン、２４２…機能表示アイコン、２４３…機能表示アイコン、２５０…タッチパネル付表示部、３００…連結部、３０１…第１連結部、３０１ａ…腕部、３０２…第２連結部、３０２ａ…腕部、３０３…回転軸、３０３ａ…軸線、３０４…取付部、３０５…装置収納空間、３５０…連結部、４００…カメラ部、４０１…回転機構４０１、４１０…カメラ部。
【図１】
0003675430.tif 000002
【図２】
0003675430.tif 000003
【図３】
0003675430.tif 000004
【図４】
0003675430.tif 000005
【図５】
0003675430.tif 000006
【図６】
0003675430.tif 000007
【図７】
0003675430.tif 000008
【図８】
0003675430.tif 000009
【図９】
0003675430.tif 000010
【図１０】
0003675430.tif 000011
【図１１】
0003675430.tif 000012
【図１２】
0003675430.tif 000013